(57)【要約】      （修正有）【課題】放射能汚染水中の放射性汚染物質、特に放射性Ｓｒを効率的かつ安価に除去する方法を提供する。【解決手段】少なくとも放射性Ｓｒを含む放射能汚染水に、ケイ酸塩及び／又はホウ酸塩を加えて混合する工程と、前記混合後の放射能汚染水から遠心分離機により放射性Ｓｒのケイ酸塩及び／又はホウ酸塩の固形物を分離回収する工程、及び、遠心分離機で分離回収できなかった微細な放射性Ｓｒのケイ酸塩及び／又はホウ酸塩を、Ｍａｘフィルターにより分離回収する工程からなる。【選択図】図１
2015225066.tif 000002
【特許請求の範囲】
【請求項１】
少なくとも次の（１）〜（３）の工程からなることを特徴とする放射性汚染物質を含有する放射能汚染水から放射性Ｓｒを除去する方法。
（１）少なくとも放射性Ｓｒを含む放射能汚染水に、ケイ酸塩及び／又はホウ酸塩を加えて混合する工程
（２）前記混合後の放射能汚染水から、遠心分離機により放射性Ｓｒのケイ酸塩及び／又はホウ酸塩の固形物を分離回収する工程
（３）遠心分離機で分離回収できなかった微細な放射性Ｓｒのケイ酸塩及び／又はホウ酸塩を、Ｍａｘフィルターにより分離回収する工程
【請求項２】
前記（１）の工程で混合するケイ酸塩及び／又はホウ酸塩が、ホウケイ酸複合塩であることを特徴とする請求項１記載の放射性汚染物質を含有する放射能汚染水から放射性Ｓｒを除去する方法。
【発明の詳細な説明】
【技術分野】
【０００１】
本発明は、放射能汚染水中の放射性汚染物質の除去方法に関するものである。
【背景技術】
【０００２】
放射能汚染水としては、核燃料棒から発生する放射性微粒子を含有する水や、核燃料から発生する熱を冷却するために使用する地下水、更には汚染冷却水が流入して発生する汚染海水等がある。これらの放射能汚染水は放射性汚染物質と共に多くの浮遊物質（ＳＳ）を含有する。後述する表１に示すように、多くの金属元素の酸化物、ケイ酸塩及びホウ酸塩は水に不溶又は難溶であり沈殿物又はＳＳとなる。これらの金属元素の放射性浮遊物は通常、膜濾過により除去できるが、粒子が微細で放射能を有するため膜が劣化しやすい。
放射性Ｓｒはイオン化して水に溶解しており、イオン交換樹脂や逆浸透膜（ＲＯ膜）などを用いて除去するか、炭酸塩に変換し不溶物として膜濾過するか、又は、凝集沈殿剤を多量に使用して回収する。しかし、膜濾過では多量に共存するＳＳの為に膜が直ぐに劣化する。膜の交換は時間的・経済的に大きな負担であり、かつ二次廃棄物も多く発生する。活性炭を用いる方法もあるが、活性炭自体も、その細孔にＳＳ等が沈着すると吸着能力が著しく低下するため交換しなければならない。また、通水による活性炭同士の衝突で微細な活性炭が発生し、これを除去するため別の濾過装置が必要となる。
このように、従来技術では、放射性汚染物質を除去するために、活性炭、膜濾過、イオン交換樹脂等の多段階の除去設備を用いなければならないのが現状である。
また、関連技術に関する最近の公開公報（特許文献１〜５など）をみても、本発明に類似する技術は開示されていない。
更に、固体に付着した放射性元素については、サンプリング及び分析法が確立しているが、多量の水中に存在している放射性元素の分析法は未だ確立されていない。
なお、本発明で用いる濾過装置「Ｍａｘフィルター」は、株式会社モノベエンジニアリングの特許（特許文献６〜７参照）に係る装置であり、既に実用されている。
【先行技術文献】
【特許文献】
【０００３】
【特許文献１】特開２０１４−０２９２６９号公報
【特許文献２】特開２０１４−０１６１７９号公報
【特許文献３】特開２０１４−２１７６８６号公報
【特許文献４】特開２０１３−０９４６９４号公報
【特許文献５】特開２０１３−０７６６２８号公報
【特許文献６】特許第３３９４４９０号公報
【特許文献７】特許第４７７４２２３号公報
【発明の概要】
【発明が解決しようとする課題】
【０００４】
本発明は、放射能汚染水中の放射性汚染物質、特に放射性Ｓｒを効率的かつ安価に除去する方法の提供を目的とする。
【課題を解決するための手段】
【０００５】
上記課題は、次の＜１＞〜＜２＞の発明によって解決される。
＜１＞  少なくとも次の（１）〜（３）の工程からなることを特徴とする放射性汚染物質を含有する放射能汚染水から放射性Ｓｒを除去する方法。
（１）少なくとも放射性Ｓｒを含む放射能汚染水に、ケイ酸塩及び／又はホウ酸塩を加えて混合する工程
（２）前記混合後の放射能汚染水から、遠心分離機により放射性Ｓｒのケイ酸塩及び／又はホウ酸塩の固形物を分離回収する工程
（３）遠心分離機で分離回収できなかった微細な放射性Ｓｒのケイ酸塩及び／又はホウ酸塩を、Ｍａｘフィルターにより分離回収する工程
＜２＞  前記（１）の工程で混合するケイ酸塩及び／又はホウ酸塩が、ホウケイ酸複合塩であることを特徴とする＜１＞記載の放射性汚染物質を含有する放射能汚染水から放射性Ｓｒを除去する方法。
【発明の効果】
【０００６】
本発明によれば、放射能汚染水中の放射性汚染物質、特に放射性Ｓｒを効率的かつ安価に除去する方法を提供できる。また使用する薬品類は固形物の生成に用いる無機金属塩のみであり、ＳＳ等の除去のために一般的に使用されている凝集剤等を用いないので、二次廃棄物が少なくて済む。
【図面の簡単な説明】
【０００７】
【図１】本発明の除去方法を実施するためのシステムの一例を示す概略図。
【図２】ＮＤ処理した海水から回収した不溶性沈殿物の溶融減容化を示す写真。（Ａ）久之浜の海水をＮＤで処理し回収した不溶性沈殿物の写真。（Ｂ）加熱により溶融ガラス化した不溶性沈殿物の写真。
【図３】久之浜の海水にＮＤを添加している状態の写真。
【図４】ＮＤ添加後、白濁沈殿物が徐々に沈降する様子を示す写真。
【図５】ＮＤ添加後の久之浜の海水を遠心分離機に掛ける前後の写真。（Ａ）はＮＤ添加により白濁沈殿物が生成した遠心分離機に掛ける前の状態を示し、（Ｂ）は遠心分離機に掛けた後の沈殿と上澄に分離した状態を示す。
【図６】Ｍａｘフィルターに、濾過材の珪藻土粉末の水懸濁液を用いて珪藻土を装着した状態の写真。
【図７】図４のＮＤ添加後の久之浜の海水を図６に示すＭａｘフィルターで濾過している様子を示す写真。
【図８】参考例１で用いた簡易Ｍａｘフィルター装置の写真。
【図９】実証試験に用いたＭａｘフィルターシステムの小型実用機の写真。
【図１０】参考例２の、原水、処理水、及び脱水処理した固形部の写真。
【発明を実施するための形態】
【０００８】
以下、上記本発明について詳しく説明する。
放射性Ｓｒは放射能汚染水中でイオンとして拡散しており、濃度も低いため、そのまま除去することは難しい。そこで不溶性又は難溶性固形物に変えて除去することを検討した結果、放射性Ｓｒを含有する放射能汚染水に、ケイ酸塩及び／又はホウ酸塩を加えて混合すると、放射性Ｓｒが、不溶性又は難溶性固形物であるケイ酸Ｓｒ及び／又はホウ酸Ｓｒ（下記表１参照）となり、固化分離できることを見出した。ケイ酸塩及びホウ酸塩としては、通常、アルカリ金属塩を用いる。
特にホウケイ酸複合塩（ＮＤ）は、常温で低濃度でも不溶性沈殿物を形成するので好ましい。「ＮＤ」はケイ酸塩とホウ酸塩を混合し加熱溶融して作製される複合塩を意味し、ケイ酸塩とホウ酸塩の単なる混合物とは異なる。ケイ酸塩とホウ酸塩の配合割合は種々変更可能であるが、一例として実施例で用いたＮａ塩の場合を示すと、ＳｉＯ２：Ｎａ２Ｏ：Ｂ２Ｏ３＝２４．３〜２６．８：１１．５〜１３．１：０．７（質量比）となる。数値範囲に幅があるのは、原料の結晶構造にオルト、メタなどの種類があって一つに特定できないためである。
【０００９】
また、海水にＮＤを混合すると、同時にＭｇやＣａのケイ酸塩も生成するが、これらはケイ酸Ｓｒやホウ酸Ｓｒと不溶性共沈殿物を形成し、ケイ酸Ｓｒやホウ酸Ｓｒを沈殿濾別により除去する際の補助剤として機能する。
しかし、海水の混入が少ない放射能汚染水の場合には、該汚染水に周期律表の２族元素のイオンを加え、ＮＤ等を加えた際に、ケイ酸Ｓｒ及び／又はホウ酸Ｓｒと、周期律表の２族元素のケイ酸塩及び／又はホウ酸塩との不溶性共沈殿物を形成させ、且つ固形物の量を増やして放射性Ｓｒを沈殿濾別し易くすることが好ましい。
なお、炭酸Ｓｒも溶解度が低く難溶性であるが（下記表１参照）、海水中で炭酸Ｓｒを生成させることは他の塩類の存在もあって容易ではないため採用できない。
【００１０】
放射性Ｃｓは放射性Ｓｒと並ぶ代表的な放射性汚染物質であるが、微粒子に付着し易く放射能汚染水中でＣｓイオンの状態でいることはないので、放射性Ｃｓが付着した微粒子を除去すればよい。また、実際には、他の微粒子と一緒に放射能汚染水中を浮遊しているか、又は泥に混じって海底等に沈殿しているから、適当な濾過装置を用いれば除去することができる。しかし大量の放射能汚染水を処理する場合には、フイルター交換などの費用が少なくて済むように配慮する必要がある。この点、後述するＭａｘフィルターを用いれば、効率的かつ安価に放射性Ｃｓを分離除去することができる。
【００１１】
＜金属酸化物、金属ケイ酸塩、金属ホウ酸塩の水に対する溶解度＞
【表１】
2015225066.tif 000003
【００１２】
本発明の除去方法を実施するためのシステムの一例について、図１に示す概略図を参照しつつ説明する。
この例は、放射性Ｃｓ分離回収用のＭａｘフィルター１、ＮＤ水溶液タンク、ＮＤ混合用インラインミキシング、遠心分離機、放射性Ｓｒ分離回収用のＭａｘフィルター２を備えている。実際には、これらの装置の他に、海水を汲み上げてＭａｘフィルター１に送るポンプ、Ｍａｘフィルター２から浄化後の海水を排出するポンプ、浄化後の海水をサンプリングして放射性汚染物質の濃度を測定する装置など、この種のシステムにおいて当然必要な周知の各種装置を有するが、ここでは省略する。
そして、以上の装置をパイプで接続し、ほぼ全自動で運転できるように設計することにより、放射性汚染物質を連続的に分離除去することができる。
なお、図１には放射性Ｃｓと放射性Ｓｒの両方を除去する場合を示したが、放射性Ｃｓが除去対象とならない場合には、Ｍａｘフィルター１を設ける必要はない。
また、図１には海水の例を示したが、他の放射能汚染水でも同様である。
【００１３】
操作としては、汚染海水をＭａｘフィルター１へ送って放射性Ｃｓを除去し、次いで、インラインでＮＤと混合して生成させた放射性Ｓｒの固形物を遠心分離機で固液分離し、分離できなかった微細な固形物をＭａｘフィルター２で除去した後、海中に戻せばよい。放射性Ｓｒの固形物は比重が２．５以上と比較的大きく、海水の比重は１．０３なので、通常は遠心分離機により除去できるが、操作を短時間で行う場合などに固液分離が不十分となることもあるため、Ｍａｘフィルター２による除去操作が必要である。また、放射性Ｓｒの固形物は遠心分離機から自動排出されるように設計する。
図１ではＮＤを用いたが、ＮＤに代えてケイ酸塩やホウ酸塩を用いてもよい。いずれの場合も、使用する薬品類は無機金属塩のみであり、ＳＳ等の除去のために一般的に使用されている凝集剤等を用いないので、二次廃棄物の発生が少なくて済む。
【００１４】
Ｍａｘフィルターは、前記特許文献６に係る濾過装置で、国土交通省に登録されており（登録Ｎｏ．ＫＴ−０６００４、ＯＳ−１２００５−Ａ）、千葉県の「ちばものつくり認定製品」にもなっている（認定番号第７号）。また、工事現場などの濁水処理、工場排水の処理、地下水の浄化などに利用され、濾液を河川に放流することが行われている。
Ｍａｘフィルターはスプリングフィルターとも呼ばれ、特殊形状のコイル状スプリングと微細な珪藻土等を濾過材として固定化したフィルターであり、これを用いたシステムにより、対象となる液体を連続的に吸引濾過して、０．１μｍ以上のＳＳを濾別することができる。０．１μｍ以上とは細菌や微生物を濾過除去できる大きさであり、濾液の濁度は０〜３ＮＴＵである。またフィルターを逆洗浄して濾別した固形物を回収するための遠心分離機が組み込まれており、濾過・回収の連続操作が可能である。
【００１５】
Ｍａｘフィルターはステンレスや樹脂で作られており、濾過する液体の性状に応じて選択できる。Ｍａｘフィルターのサイズは適宜変更可能であり、例えば長さ１７．５ｃｍ、直径１．５ｃｍの円筒形状のスプリングフィルターに５．０ｇの珪藻土等を装着して用いる。珪藻土等の粒度により濾過する物質のサイズも若干変えることが出来る。
濾過できる液体の流量は、液体の性状により変わるが、海水などの液体の場合、上記の小さなフィルター１本で５．５リットル／分の流量が得られる。そして、Ｍａｘフィルターの長さ及び本数を変えて濾過能力も増大することもでき、実際に毎時１〜１５０トンの濾過機が多く使われている。
更に、酸性液体、海水、塩濃度の高い液体などを濾過すると、ステンレス製品でも錆や腐食劣化が生じることがあるため、スプリングフィルターの材質としてプラスチックを使用してもよい。
【００１６】
濾過を続けると目詰まりにより濾過能力が低下するが、これは流速や圧力の変化で感知できる。著しく低下したら、逆洗浄による使用済み濾過材の剥離除去と、新たな濾過材の装着を自動的に行う。新たな濾過材はスプリングフィルターの表面に薄くコーティングするだけ（表面積８２ｃｍ２で５．０ｇの濾過材を使用）なので、二次廃棄物も著しく少なくて済み、かつ安価である。
濾過及び濾過材の回収は濾過時の圧力差により自動的に行うようにする。放射能汚染水に多くの汚泥が含まれていると、早期に濾過材の目詰まりが発生する可能性があるため、放射能汚染水の取り入れ口で予備濾過を行い、濾過材の交換期間をより長くすることが好ましい。逆洗浄で剥離除去した濾過材は、連続的に遠心分離機にかけて脱水・回収する。遠心分離機やポンプなどは年一度のメンテナンスを行う。メンテナンスの主な対象はモーターと潤滑油である。
【００１７】
インラインミキシングでは、濾液の流量に対応させて添加ＮＤ水溶液の流量調整をポンプで行う。この工程では年一度、ポンプと流量センサーのメンテナンスを行う。インラインミキシングで発生した沈殿物は固液分離用の遠心分離機に掛けられるが、遠心分離機は連続運転されるので年１度のメンテナンスを行う。
遠心分離機で回収しきれない微細な沈殿物はＭａｘフィルターで濾過回収する。
【００１８】
二次廃棄物として発生する機材等は次のように処理する。
放射能汚染水の取り入れ口に設置する予備濾過材は、燃焼可能な素材のものを使用し、交換後は燃焼して減容化する。Ｍａｘフィルターに使用する濾過材は逆洗浄により回収し脱水されたものを更に凍結乾燥し、水分の無い状態で放射線遮蔽容器に入れて保管する。発生量は使用する濾過材量と同程度である。
ケイ酸塩及びホウ酸塩として回収される量的に多い主な化合物は、海水の場合、ケイ酸Ｍｇ及びケイ酸Ｃａであり、その量は海水中に含まれる量より増加することはない。したがって、その量は海水１Ｌ当たり凡そ７ｇである。これらの塩類は遠心分離機で分離し脱水して回収容器内に連続的に収容する。回収した塩類は混合物のまま溶融ガラス化することができ、放射性Ｓｒが含まれていても飛散することの無い固形物として減容化して放射線遮蔽保管容器に収容することが出来る。この減容化は、例えば９００℃、３０分で行える。その変化を図２に示す。（Ａ）は久之浜の海水をＮＤで処理し回収した不溶性沈殿物の写真であり、（Ｂ）は加熱により溶融ガラス化した不溶性沈殿物の写真である。
【００１９】
後述する実施例１〜４に示すように、放射性ＳｒはＮＤと反応して不溶性又は難溶性のケイ酸Ｓｒ及び／又はホウ酸Ｓｒとなり、遠心分離機とＭａｘフィルターにより容易に除去することができる。目標値は３０Ｂｑ／Ｌ以下の法令濃度限界値に設定する。
後述する参考例１、２に示すように、高濃度の放射性Ｃｓを含む汚染水でも、Ｍａｘフィルターにより検出限界以下まで分離除去することができる。目標値はＣｓ１３４が６０Ｂｑ／Ｌ以下、Ｃｓ１３７が９０Ｂｑ／Ｌ以下の法令濃度限界値に設定する。
【実施例】
【００２０】
以下、実施例及び参考例を示して本発明を更に具体的に説明するが、本発明はこれらの実施例により何ら限定されるものではない。
なお、実施例で用いたＮＤは、水ガラス（ケイ酸Ｎａ水溶液）と硼砂（ホウ酸Ｎａ）を混合し、６０℃〜８０℃で加熱溶解して得た、下記の組成比（ＳｉとＮａとＢの配合割合をＳｉＯ２、Ｎａ２Ｏ、Ｂ２Ｏ３に換算したときの質量比）の液状物である。
組成比：ＳｉＯ２：Ｎａ２Ｏ：Ｂ２Ｏ３＝約２５．５：約１２．３：約０．７
【００２１】
実施例１
福島県いわき市久之浜の海水にＮＤを混合し、Ｍａｘフィルターで濾過した時の状態を図３〜図７に示す。
図３は、久之浜の海水にＮＤを０．０１６容積％添加している状態の写真であり、添加と同時に白濁沈殿物が発生する。
図４は、ＮＤ添加後、白濁沈殿物が徐々に沈降する様子を示す写真である。
図５は、ＮＤ添加後の久之浜の海水を遠心分離機（アズワン社製：アズワンＣ−１２Ｂ）に掛ける前後の状態を示す写真である。（Ａ）はＮＤ添加により白濁沈殿物が生成した遠心分離機に掛ける前の状態を示し、（Ｂ）は遠心分離機に掛けた後の沈殿と上澄に分離した状態を示す。
図６は、Ｍａｘフィルターに濾過材の珪藻土粉末の水懸濁液を用いて珪藻土を装着した状態の写真である。濾液は白濁しておらず、その濁度は０．１ＮＴＵであった。
図７は、図５（Ｂ）の上澄を、図６のＭａｘフィルターで濾過している状態の写真であり、装置上部には濾過された海水が出てくるが、白濁はなく透明である。濾液の濁度は、１．５ＮＴＵであった。濾過前の液の濁度は１７３０ＮＴＵであった。
上記久之浜の海水と、これにＮＤを添加した海水のＳｒ濃度を、誘導結合プラズマ発光分光分析装置（日立ハイテクサイエンス社製：ＳＰＳ５１００）を用いて、ＩＣＰ−ＯＥＳ法により測定した。その測定結果及びＳｒ除去率を表２に示す。
【００２２】
実施例２
ＮＤの添加量を０．１６容積％に変えた点以外は、実施例１と同様の操作を行った後、濾液のＳｒ濃度を測定した。その測定結果及びＳｒ除去率を表２に示す。
【００２３】
実施例３〜４
実施例１及び２における久之浜の海水を、下記組成の人工海水に変えた点以外は同様の操作を行った後、Ｓｒ濃度を測定した。その測定結果及びＳｒ除去率を表２に示す。
＜人工海水の組成＞
使用した人工海水は、下記の成分を５０Ｌの水に溶解させたものである。
・ＮａＣｌ          ：１４２５        ｇ
・ＭｇＳＯ４７Ｈ２Ｏ：  ３４１        ｇ
・ＭｇＣｌ２６Ｈ２Ｏ：  ２５８        ｇ
・ＣａＣｌ２２Ｈ２Ｏ：    ７３．５    ｇ
・ＫＣｌ            ：    ３６．２５  ｇ
・ＳｒＣｌ２６Ｈ２Ｏ：      １．２    ｇ
・ＮａＢｒ          ：      ４．２    ｇ
・Ｈ３ＢＯ３        ：      １．３７  ｇ
・ＮａＦ            ：  １４３．５  ｍｇ
・ＫＩ              ：      ３．９５ｍｇ
【００２４】
【表２】
2015225066.tif 000004
【００２５】
仮に海水中に放射性Ｓｒが１０００Ｂｑ／Ｌという高濃度で存在するとした場合、その量が１／３３以下になれば法令濃度限界値（３０Ｂｑ／Ｌ以下）を満たすことになる。
一方、上記表２に示すＳｒの除去試験では、Ｓｒ除去率が、人工海水で９８％以上、久之浜の海水で９８．５％以上であり、Ｓｒ濃度は、人工海水で１／５０以下、久之浜の海水で１／６７以下である。したがって、原水の放射性Ｓｒが１０００Ｂｑ／Ｌであったとしても、人工海水で２０Ｂｑ／Ｌ以下、久之浜の海水で１５Ｂｑ／Ｌ以下に出来ることになり、法令濃度限界を満たすことが出来る。
また、ＮＤ溶液を０．１６容積％用いたときにＳｒが０．１ｐｐｍの検出限界以下となったが、これは、人工海水や海水中に多量に存在するＭｇやＣａから生成した不溶性沈殿物が、Ｓｒの不溶性沈殿物を分離除去する際の補助剤となったためであると推測される。
【００２６】
実施例５
前記実施例１〜２では海水にＮＤを混合した場合を示したが、ここでは、ＮＤに代えてケイ酸Ｎａ、水ガラス、硼砂を混合した場合の試験例を示す。
試験に用いた材料は下記のとおりである。なお、Ｓｒ水溶液の濃度は一般の海水に含まれる濃度に合わせて０．０９ｍＭとした。また、海水には実施例１と同じ久之浜の海水を使用し、人工海水には実施例３と同じものを使用した。
・Ｓｒ水溶液（Ｓｒ２＋として０．０９ｍＭ）
・ＮＤ水溶液（ＳｉＯ２として４３０ｍＭ）
・水ガラス水溶液（ＳｉＯ２として５５３ｍＭ）
・ケイ酸Ｎａ水溶液（ＳｉＯ２として２５４ｍＭ）
・硼砂水溶液（ホウ酸として１０５ｍＭ）
上記Ｓｒ水溶液、人工海水、海水をそれぞれ４０ｍＬ用意し、ＮＤ水溶液、水ガラス水溶液、ケイ酸Ｎａ水溶液及び硼砂水溶液を０．４ｍＬ加えて混合撹拌した後、その濁度を測定した。硼砂水溶液以外の場合は発生する沈殿物の量が多いため、脱イオン水で１００倍に希釈して測定した。
結果を表３に示す。表中の数値の単位は「ＮＴＵ」である。
【表３】
2015225066.tif 000005
表３のように、Ｓｒ水溶液に対し何れも沈殿物が生成したが、ＮＤ水溶液が最も沈殿物が多く好ましいことが分かった。
【００２７】
実施例６
Ｓｒ水溶液の濃度を、参考例３の１０倍の０．９ｍＭ、及び１００倍の９ｍＭに変えた点以外は、実施例５と同様にして濁度を測定した。硼砂水溶液以外の場合は発生する沈殿物の量が多いため、０．９ｍＭの場合には脱イオン水で１０倍に希釈し、９ｍＭの場合には脱イオン水で１００倍に希釈して測定した。
結果を表４に示す。表中の数値の単位は「ＮＴＵ」である。
【表４】
2015225066.tif 000006
【００２８】
参考例１
＜Ｍａｘフィルターを用いた放射性Ｃｓ除去試験＞
福島県土地改良事業団体連合会・南東北復興総合研究所の協力を得て、図８に示す簡易Ｍａｘフィルター装置を用いた、農業用貯水池の放射性汚染源の除去試験を実施した。
貯水池の水からは、Ｃｓ１３４：３．５〜５．７Ｂｑ／Ｌ、Ｃｓ１３７：４．４〜７．９Ｂｑ／Ｌ、湖底の泥（乾泥）からは、Ｃｓ１３４：７００００Ｂｑ／ｋｇ、Ｃｓ１３７：１０００００Ｂｑ／ｋｇの放射能が検出された。
上記水と泥の混合物からなる試料をＭａｘフィルターに掛けた後、濾液の放射能を測定した。その結果、濾液からは放射性Ｃｓは検出されず、放射性Ｃｓを迅速に分離除去できることが明らかとなった。
【００２９】
参考例２
参考例１の結果を踏まえて、図９に示すＭａｘフィルターシステムの小型実用機を作製し、福島県双葉郡浪江町の請戸川河口付近で、河川水及び河床汚泥の濾過実証試験を行なった。この実証試験の概要は次のとおりである。
・請戸川の鮭漁用川岸で水中ポンプを用いて汚泥と河川水を採取した。
・採取した原水を撹拌して汚泥を浮遊させ、Ｍａｘフィルターへ供給した。
・Ｍａｘフィルターは、予め濾過材の珪藻土をフィルターに装着しておき、８０Ｌ／分の流速で濾過した。濾過器はフィルター部分の圧力や処理原水の流量等をセンサーで感知し、一定値を示せばフィルター部分の逆洗浄や新たな濾過材の設置を行うなど、自動運転されるようにプログラムした。
・濾過された河川水は処理水タンクに貯蔵した。
・逆洗浄された汚泥、ＳＳ及び濾過材は、遠心分離機で固液分離し脱水処理した。
・固液分離後の液体部は原水タンクに戻し再濾過した。
・脱水処理した固体部は、遠心分離機の下部に設置した容器に排出した。
上記原水、処理水、脱水処理した固形部の写真を図１０に示す。図１０の上の左が原水、上の右が処理水、下が脱水処理した固形部である。
また、これらの放射能の測定結果を表５に示す。
【表５】
2015225066.tif 000007
Ｍａｘフィルターの濾過能力は、スプリングフィルターの本数を増やして濾過水流量を増大させることにより容易に拡大できる。
したがって、処理水の性状を十分に考慮し、液体の粘性がそれ程高くなく、かつ多量の汚泥を含まないような汚染水の処理であれば、毎時５００トン程度の処理量の実用機を作製することが可能であり、短期間で多量の汚染水を処理できると考えられる。
【図１】
2015225066.tif 000008
【図２】
2015225066.tif 000009
【図３】
2015225066.tif 000010
【図４】
2015225066.tif 000011
【図５】
2015225066.tif 000012
【図６】
2015225066.tif 000013
【図７】
2015225066.tif 000014
【図８】
2015225066.tif 000015
【図９】
2015225066.tif 000016
【図１０】
2015225066.tif 000017